(57)【要約】【課題】  指紋照合データベースを格納するホスト装置等を不要とした簡易な構成で不特定多数の人に対する本人認証の仕組みを構築する。【解決手段】  例えば媒体としてクレジットカードＣを適用した場合には、クレジットカードＣに付された当該クレジットカードＣの所有者の指紋画像の特徴をコード化したコードシンボルＸをコード読取装置により読み取り、クレジットカードＣの所有者の指紋をコード読取装置により読み取ると、所有者の指紋画像の特徴とコードシンボルＸの指紋画像の特徴とを照合し、その照合結果に応じてクレジットカードＣの所有者であるか否かの認証がなされる。これにより、不特定多数の人の指紋を指紋照合データベースに登録することなく認証作業を行うことができるので、指紋照合データベースを格納するホスト装置等を不要とした簡易な構成で不特定多数の人に対する本人認証の仕組みを構築することができる。【選択図】    図３
2005339354.tif 000002
【特許請求の範囲】
【請求項１】
商品に付されたコードシンボル化されている商品コードをコード読取装置により光学的に読み取って売上処理を行う商品販売データ処理装置において、
媒体に付された指紋画像の特徴をコード化したコードシンボルを前記コード読取装置により読み取るコード読取手段と、
読み取られた前記コードシンボルからコード化された指紋画像の特徴を抽出する情報抽出手段と、
前記コード読取装置により指紋を読み取る指紋読取手段と、
この指紋読取手段により読み取られた指紋画像の特徴と前記情報抽出手段により抽出された指紋画像の特徴とを照合する照合手段と、
この照合手段による照合結果に応じて認証を行う認証手段と、
を備えることを特徴とする商品販売データ処理装置。
【請求項２】
商品に付されたコードシンボル化されている商品コードをコード読取装置により光学的に読み取って売上処理を行う商品販売データ処理装置を制御するコンピュータに読取可能なプログラムであって、
媒体に付された指紋画像の特徴をコード化したコードシンボルを前記コード読取装置により読み取るコード読取機能と、
読み取られた前記コードシンボルからコード化された指紋画像の特徴を抽出する情報抽出機能と、
前記コード読取装置により指紋を読み取る指紋読取機能と、
この指紋読取機能により読み取られた指紋画像の特徴と前記情報抽出手段により抽出された指紋画像の特徴とを照合する照合機能と、
この照合機能による照合結果に応じて認証を行う認証機能と、
を前記コンピュータに実行させることを特徴とするプログラム。
【発明の詳細な説明】
【技術分野】
【０００１】
本発明は、スーパーマーケット等で使用されるチェックアウトシステムを構成するＰＯＳ（Point of Sales：販売時点管理）端末等の商品販売データ処理装置およびプログラムに関する。
【背景技術】
【０００２】
特許文献１には、バーコードを光学的に撮像する読取センサを用い、指紋を光学的に検出するようにしたバーコード読取装置が記載されている。この特許文献１に記載されたバーコード読取装置によれば、バーコードを光学的に撮像する読取センサが指紋を光学的に検出して指紋センサとして機能することによって、高価なセンサを１つで共用できるため、部品点数および製造コストの低減が図られる。
【０００３】
【特許文献１】特開２００１−３４４６５８公報
【発明の開示】
【発明が解決しようとする課題】
【０００４】
ところで、特許文献１に記載されたバーコード読取装置によれば、指紋の特徴点と識別コードとを関連付けた指紋照合データベースを予め用意しておき、指紋センサからの検出信号に基づいて抽出された指紋の特徴点と指紋照合データベースとを照合するようにしている。
【０００５】
しかしながら、指紋照合データベースを用いた指紋照合は、責任者のサインオンのように予め照合対象者が決まっているような場合には有効であるが、例えばクレジットカードの本人認証を暗証番号やサインではなく指紋照合により行うようにすることを想定した場合には、不特定多数の人の指紋を指紋照合データベースに登録しなければならず、現実的ではない。
【０００６】
本発明は、指紋照合データベースを格納するホスト装置等を不要とした簡易な構成で不特定多数の人に対する本人認証の仕組みを構築することを目的とする。
【課題を解決するための手段】
【０００７】
本発明は、商品に付されたコードシンボル化されている商品コードをコード読取装置により光学的に読み取って売上処理を行う商品販売データ処理装置において、媒体に付された指紋画像の特徴をコード化したコードシンボルを前記コード読取装置により読み取るコード読取手段と、読み取られた前記コードシンボルからコード化された指紋画像の特徴を抽出する情報抽出手段と、前記コード読取装置により指紋を読み取る指紋読取手段と、この指紋読取手段により読み取られた指紋画像の特徴と前記情報抽出手段により抽出された指紋画像の特徴とを照合する照合手段と、この照合手段による照合結果に応じて認証を行う認証手段と、を備える。
【０００８】
したがって、例えば媒体としてクレジットカードを適用した場合には、クレジットカードに付された当該クレジットカードの所有者の指紋画像の特徴をコード化したコードシンボルがコード読取装置により読み取られ、クレジットカードの所有者の指紋がコード読取装置により読み取られると、所有者の指紋画像の特徴とコードシンボルの指紋画像の特徴とが照合され、その照合結果に応じてクレジットカードの所有者であるか否かの認証がなされる。これにより、不特定多数の人の指紋を指紋照合データベースに登録することなく認証作業を行うことができるので、指紋照合データベースを格納するホスト装置等を不要とした簡易な構成で不特定多数の人に対する本人認証の仕組みを構築することが可能になる。また、商品に付されたコードシンボル化されている商品コードを読み取るコード読取装置が指紋センサとして機能することによって、高価なセンサを１つで共用できるため、部品点数および製造コストの低減が図られる。
【発明の効果】
【０００９】
本発明によれば、指紋照合データベースを格納するホスト装置等を不要とした簡易な構成で不特定多数の人に対する本人認証の仕組みを構築することができる。また、高価なセンサを１つで共用できるため、部品点数および製造コストの低減を図ることができる。
【発明を実施するための最良の形態】
【００１０】
本発明の実施の一形態を図１ないし図８に基づいて説明する。
【００１１】
ここで、図１は商品販売システムの全体構成を概略的に示すシステム構成図である。図１に示すように、商品販売システムは、スーパーマーケット等の小売店舗に設けられる商品販売データ処理システムであるＰＯＳ（Point of Sales：販売時点管理）システム１を主体に構成されている。ＰＯＳシステム１は、商品販売データ処理装置であってスーパーマーケットのレジカウンタに設置される複数台のＰＯＳ端末２と、これらのＰＯＳ端末２をＬＡＮ（Local Area Network）３によって接続して集中管理するホストコンピュータ４とで構成されている。
【００１２】
続いて、ＰＯＳシステム１を構成するＰＯＳ端末２について説明する。ＰＯＳ端末２は、店舗の精算場所に配設されてキャッシャが売上処理を行うためのものであり、図２に示すような構成とされている。ＰＯＳ端末２には、本体８の上面側にキーボード９が設けられており、本体８の下部側にはドロワ１０が引出自在に設けられている。また、本体８の奥側には表示器１１が設けられている。さらには、カードＣ（図３参照）の磁気ストライプＳ（図３参照）に記録されたデータの読み取りを行うための磁気カードリーダ１２がキーボード９の脇に並設されている。カードＣは、クレジットカード機能及びポイントカード機能を有している。
【００１３】
ここで、磁気カードリーダ１２で読み取り可能なカードＣについて図３を参照して説明する。図３に示すように、カードＣには、このカードＣを所有する顧客の識別コード等を記憶した磁気ストライプＳが設けられている。なお、磁気ストライプＳは、カードＣの基板ｃの両面に設けられており、一方はカードＣをクレジットカードとして使用する場合に用いられ、他方はカードＣをポイントカードとして使用する場合に用いられる。また、カードＣの基板ｃ上には、コードシンボルである２次元コードＸが印刷されている。すなわち、カードＣは媒体である。この２次元コードＸには、このカードＣを所有する顧客の指紋画像の特徴がコード化されて格納されている。２次元コードＸにコード化されて格納されている顧客の指紋画像の特徴は、例えば指紋の隆線パターンの分岐点や端点などを含むマニューシャで表現された指紋特徴点である。
【００１４】
ＰＯＳ端末２には、商品コード等を光学的に読み取るためのコード読取装置であるスキャナ１３も接続されている。本実施の形態のスキャナ１３は、商品コード等のバーコード（１次元コード）、及びＱＲコード（登録商標）やデータマトリックスコードなどの２次元コードのみならず、指紋も読み取り対象としたものである。このスキャナ１３は、図４に示すように、ＬＥＤ（Light Emitting Diode）等で構成される照明光を発生する光源１３ａと、照明光を読み取り対象（１次元コードや２次元コード、指紋）に向けて集光するレンズ１３ｂと、読み取り対象からの反射光を結像するレンズ１３ｃと、結像した読み取り対象像を電気信号に変換するＣＣＤ（Charge Coupled Device）センサやＣＭＯＳ（Complementary Metal Oxide Semiconductor）センサなどのエリアセンサ１３ｄとで構成されている。なお、１３ｅは、読み取り対象からの反射光をレンズ１３ｃの方向に反射するミラーである。エリアセンサ１３ｄで電気信号に変換された読み取り対象像は、制御基板１３ｆに送信される。図５に示すように、制御基板１３ｆには、ＣＰＵ（Central Processing Unit）３１やＲＯＭ（Read Only Memory）等のメモリ３２、エリアセンサ１３ｄが出力するアナログ信号をデジタル信号に変換してＣＰＵ３１に出力するＡ／Ｄ変換器３３、ＰＯＳ端末２との通信を行う通信Ｉ／Ｆ３４等が搭載されている。メモリ３２には、ＣＰＵ３１の動作に必要なプログラムが格納されており、ＣＰＵ３１はプログラムに従って光源１３ａやエリアセンサ１３ｄの動作を制御する。すなわち、スキャナ１３は、指からの反射光量の大小をＣＣＤ等を用いて電気信号に変換して指紋の模様を読み取る光学方式の指紋読取方式を実現している。
【００１５】
このようなＰＯＳ端末２の電装系は図６に示すように構成されている。ＰＯＳ端末２は、ＣＰＵ（Central Processing Unit）、制御プログラムを格納するＲＯＭ（Read Only Memory）、ＲＡＭ（Random Access Memory）等で構成されるＰＯＳ制御部１４と、不揮発性ＲＯＭ等で構成されて記憶部として機能するメモリ部１５とを保有し、バス１６を介して接続された通信Ｉ／Ｆ１７から、ＬＡＮ３を介してホストコンピュータ４との間で相互にオンライン通信を実行し得るように構成されている。
【００１６】
また、ＰＯＳ制御部１４には、バス１６及びＩ／Ｏ機器制御部１８を介して、前述したキーボード９、表示器１１、磁気カードリーダ１２、スキャナ１３とともにプリンタ１９が接続されている。このプリンタ１９は、ＰＯＳ端末２の本体８内に内蔵されたレシート／ジャーナルプリンタであり、売上処理に伴い、取引単位でレシートを発行するとともに、並行してジャーナル用紙への印字を行うものである。
【００１７】
次に、ホストコンピュータ４について説明する。ホストコンピュータ４は、ＰＯＳシステム１全体の制御を受持ち、その電装系は、例えば、図７に示すような構成とされている。ホストコンピュータ４は、ＣＰＵ、ＲＯＭ、ＲＡＭ等で構成される制御部２０と、不揮発性ＲＯＭ等で構成されるメモリ部２１とを保有し、バス２２を介して接続された通信Ｉ／Ｆ２３から、ＬＡＮ３を介して複数台のＰＯＳ端末２との間で相互にオンライン通信を実行し得るように構成されている。
【００１８】
また、制御部２０にはバス２２を介して、通信Ｉ／Ｆ２９が接続されており、この通信Ｉ／Ｆ２９を介してクレジット会社のコンピュータ（図示せず）との間で相互にオンライン通信を実行し得るように構成されている。
【００１９】
さらに、制御部２０にはバス２２及びＩ／Ｏ機器制御部２４を介して、キーボード２５、表示器２６、プリンタ２７及びＨＤＤ（Hard Disk Drive）２８が接続されている。ＨＤＤ２８には、制御部２０のＣＰＵを動作させる制御プログラムの他、商品マスタファイルＦ１、売上ファイルＦ２、顧客マスタファイルである会員マスタファイルＦ３等が格納されている。なお、商品マスタファイルＦ１は商品コードに対応付けて商品名や単価を記憶するもの、売上ファイルＦ２は各ＰＯＳ端末２から送信される売上登録データを記憶するもの、会員マスタファイルＦ３は会員顧客毎の累計ポイントや会員の氏名・年齢・性別・住所・電話番号等の会員情報を会員コード（顧客識別情報）に対応付けて記憶するものである。
【００２０】
以上のようなＰＯＳ端末２とホストコンピュータ４とで構成されるＰＯＳシステム１の売上処理の際の動作について簡単に説明する。例えば商品に付された商品コードがＰＯＳ端末２のスキャナ１３によって読み取られると、ＰＯＳ端末２は読み取った商品コードをホストコンピュータ４に問い合わせる。そして、商品コードを問い合わせられたホストコンピュータ４側においては、ＰＯＳ端末２からの問い合わせにより商品マスタファイルＦ１を検索し、該当する商品コードに対応した商品名や単価等を読み出してＰＯＳ端末２へ送信する。また、ＰＯＳ端末２は、ホストコンピュータ４からの商品名や単価等を受信し、問い合わせした商品コード及び受信した商品名や単価等に基づいて売上登録するとともに、部門別登録や表示器１１への表示、またプリンタ１９により印字出力を行う売上登録処理を実行する。さらに、ＰＯＳ端末２は、決済後に、売上登録した売上登録データをホストコンピュータ４へ送信する。ＰＯＳ端末２から売上登録した売上登録データを送信されたホストコンピュータ４側では、ＰＯＳ端末２からの売上登録データを売上ファイルＦ２に累計する。また、精算時に顧客がカードＣを提示した場合には、キャッシャが提示されたカードＣの磁気ストライプＳを磁気カードリーダ１２内を通過させる。この際に、ＰＯＳ端末２は、ポイントカード用の識別コードを取得し、ＰＯＳ端末２は読み取った識別コードをホストコンピュータ４に問い合わせる。そして、識別コードを問い合わせられたホストコンピュータ４側においては、今回の商品買上げ金額に基づくポイント値を識別コードに対応付けて累積加算し、または、識別コードに対応付けられているポイント値に応じて値引き処理し、会員マスタファイルＦ３を更新する。
【００２１】
続いて、本実施の形態のＰＯＳシステム１が備える特長的な機能について以下において詳細に説明する。なお、従来から行なわれている処理と同様の処理についてはその説明を省略する。ここでは、本実施の形態のＰＯＳシステム１が備える特長的な機能を実現するクレジット処理について、ＰＯＳ端末２のＰＯＳ制御部１４側の制御処理を示す図８のフローチャートを参照して説明する。図８に示すように、前述した売上登録処理の実行後（ステップＳ１）、キーボード９のクレジットキー（図示せず）の押下によって精算をクレジット決済によって行う旨が宣言された場合には（ステップＳ２のＹ）、クレジットカード用の識別コードが取得されるまで待機する（ステップＳ３）。
【００２２】
キャッシャが提示されたカードＣのクレジットカード用の磁気ストライプＳを磁気カードリーダ１２内を通過させる操作をしたことにより、クレジットカード用の識別コードが取得されると（ステップＳ３のＹ）、カードＣ上に印刷されている２次元コードＸに記憶されているコード化された顧客の指紋画像の特徴が取得されるまで待機する（ステップＳ４）。
【００２３】
キャッシャが提示されたカードＣ上に印刷されている２次元コードＸをスキャナ１３により読み取る操作をしたことにより、カードＣ上に印刷されている２次元コードＸが読み取られ、２次元コードＸに格納されているコード化された顧客の指紋画像の特徴が取得されると（ステップＳ４のＹ：コード読取手段、情報取得手段）、当該カードＣを提示した顧客の指紋の画像が取得されるまで待機する（ステップＳ５）。
【００２４】
キャッシャがカードＣを提示した顧客の指紋をスキャナ１３により読み取る操作をしたことにより、カードＣを提示した顧客の指紋の画像（指紋画像の特徴）が取得されると（ステップＳ５のＹ：指紋読取手段）、この取得したカードＣを提示した顧客の指紋画像の特徴とステップＳ４で取得した２次元コードＸに格納されていた顧客の指紋画像の特徴とを照合する（ステップＳ６：照合手段）。
【００２５】
カードＣを提示した顧客の指紋画像の特徴が２次元コードＸに記憶されていた顧客の指紋画像の特徴と一致し、当該カードＣの正しい持ち主であると判断された場合には（ステップＳ６のＹ）、売上登録処理により算出された売上金額を含むクレジット取引データをホストコンピュータ４に送信する（ステップＳ７：認証手段）。クレジット取引データを送信されたホストコンピュータ４側においては、クレジット取引データをクレジット会社のコンピュータに送信する。その後、クレジット会社のコンピュータ側において信用チェックや金額承認を受けた後、ＰＯＳ端末２においてクレジット決済されることになる。
【００２６】
一方、カードＣを提示した顧客の指紋画像の特徴が２次元コードＸに記憶されていた顧客の指紋画像の特徴と一致せず、当該カードＣの正しい持ち主でないと判断された場合には（ステップＳ６のＮ）、カードＣによるクレジット決済を中止する（ステップＳ８：認証手段）。
【００２７】
このように本実施の形態によれば、媒体であるクレジットカードＣに付された当該クレジットカードＣの所有者の指紋画像の特徴をコード化した２次元コードＸがスキャナ１３により読み取られ、クレジットカードＣの所有者の指紋がスキャナ１３により読み取られると、所有者の指紋画像の特徴と２次元コードＸの指紋画像の特徴とが照合され、その照合結果に応じてクレジットカードＣの所有者であるか否かの認証がなされる。これにより、不特定多数の人の指紋を指紋照合データベースに登録することなく認証作業を行うことができるので、指紋照合データベースを格納するホスト装置等を不要とした簡易な構成で不特定多数の人に対する本人認証の仕組みを構築することが可能になる。また、商品に付されたコードシンボル化されている商品コードを読み取るスキャナ１３が指紋センサとして機能することによって、高価なセンサを１つで共用できるため、部品点数および製造コストの低減が図られる。
【００２８】
なお、本実施の形態においては、媒体としてカードＣを適用して、カードＣを用いたクレジット処理における本人認証を指紋照合により行うようにしたが、このような指紋照合による本人認証は各種の処理に適用可能である。
【図面の簡単な説明】
【００２９】
【図１】本発明の実施の一形態の商品販売システムの全体構成を概略的に示すシステム構成図である。
【図２】ＰＯＳ端末の構成を概略的に示す外観斜視図である。
【図３】カードを示す斜視図である。
【図４】スキャナの構成を概略的に示す断面図である。
【図５】スキャナに内蔵される各部の電気的接続を示すブロック図である。
【図６】ＰＯＳ端末を構成する各部の電気的接続を示すブロック図である。
【図７】ホストコンピュータを構成する各部の電気的接続を示すブロック図である。
【図８】クレジット処理の流れを概略的に示すフローチャートである。
【符号の説明】
【００３０】
２…商品販売データ処理装置、１３…コード読取装置、Ｃ…媒体、Ｘ…コードシンボル
【図１】
2005339354.tif 000003
【図２】
2005339354.tif 000004
【図３】
2005339354.tif 000005
【図４】
2005339354.tif 000006
【図５】
2005339354.tif 000007
【図６】
2005339354.tif 000008
【図７】
2005339354.tif 000009
【図８】
2005339354.tif 000010